(57)【要約】【課題】  蓋体を開閉するときに蓋体に重量感を付与し、蓋体の急速な動作を防ぐことができる蓋開閉装置を提供する。【解決手段】  楽器ケースに設けられたガイド部材５と、鍵盤蓋に設けられた軸部７と、この軸部７に設けられた歯車８とを備え、ガイド部材５に、歯車８が転動するラック９と、歯車８から突出した軸部７の端部７ａが挿入して移動するガイド溝１０とを設け、軸部７の端部７ａにガイド溝１０内を摺動するスライド部材１１を設けた。従って、鍵盤蓋を開閉するときに、鍵盤蓋の歯車８がガイド部材５のラック９に噛み合って転動するので、鍵盤蓋の重量が重くても、滑らかに鍵盤蓋を開閉移動させることができるほか、スライド部材１１がガイド溝１０内を摺動するので、鍵盤蓋が開閉するときにスライド部材１１とガイド溝１０との接触抵抗によって鍵盤蓋に重量感を付与し、鍵盤蓋の急速な動作を防ぐ。【選択図】        図２
2008015389.tif 000002
【特許請求の範囲】
【請求項１】
装置本体と、この装置本体の開放部を覆う蓋体とを備え、この蓋体に回転体を有する軸部を設け、前記装置本体に前記回転体が転動するガイドレールと前記軸部の端部をガイドするガイド溝とを設け、前記軸部の前記端部が前記ガイド溝によってガイドされながら、前記回転体が前記ガイドレール上を転動することにより、前記装置本体に対し前記蓋体がスライドして開閉する蓋開閉装置において、
前記軸部の前記端部に、前記ガイド溝内を摺動するスライド部材を設けたことを特徴とする蓋開閉装置。
【請求項２】
前記スライド部材は、前記ガイド溝内の対向面に接触するほぼ直方体状に形成され、その一側面に前記軸部の前記端部が挿入する軸穴が設けられた構成であることを特徴とする請求項１に記載の蓋開閉装置。
【請求項３】
前記スライド部材は、前記蓋体を開くときに前記ガイド溝に対する接触抵抗が小さく、前記蓋体を閉じるときに前記ガイド溝に対する接触抵抗が大きくなることを特徴とする請求項１または２に記載の蓋開閉装置。
【請求項４】
前記スライド部材には前記軸部の前記端部が移動可能に挿入する長孔状の軸穴が前記ガイド溝に対し後下がりに斜めに設けられ、前記スライド部材の外周面は前記ガイド溝内の対向面に接触するほぼ円形状に形成されていると共に、このほぼ円形状の外周面における前記軸穴の長手方向に対応する個所で且つ前記蓋体の閉動作方向に位置する部分に、山形状の突起部が設けられていることを特徴とする請求項３に記載の蓋開閉装置。
【請求項５】
前記軸部の前記端部の外周面には複数の小突起が設けられ、前記スライド部材は前記ガイド溝内の対向面に接触するほぼ直方体状に形成され、その一側面に前記軸部が挿入する軸穴が設けられ、この軸穴の内周面には、前記複数の小突起が順次乗り越える複数の山形部が設けられていると共に、この山形部における両側の斜面うち、前記蓋体が閉じるときの前記軸部の回転に伴って前記小突起が当接する斜面が急な傾斜に形成され、前記蓋体が開くときの前記軸部の回転に伴って前記小突起が当接する斜面が緩やかな傾斜に形成されていることを特徴とする請求項１に記載の蓋開閉装置。
【発明の詳細な説明】
【技術分野】
【０００１】
この発明は、電子ピアノなどの鍵盤楽器や家具などに用いられる蓋開閉装置に関する。
【背景技術】
【０００２】
例えば、電子ピアノなどの鍵盤楽器においては、楽器本体内に設けられた鍵盤部を蓋体で開閉可能に覆うように構成されている。このような蓋開閉装置には、特許文献１に記載されているように、楽器本体に設けられた鍵盤部を覆う蓋体に軸部を取り付け、この軸部の端部側にピ二オンを取り付け、このピ二オンを楽器本体の内側面に設けられたラックに転動可能に噛み合わせると共に、軸部の端部を楽器ケースの内側面に設けられたガイド溝に移動可能に挿入させた構成のものがある。
【特許文献１】特開平１０−２０７４４８号
【０００３】
このような蓋開閉装置では、蓋体を開閉するときに、蓋体に設けられた軸部の端部が楽器本体のガイド溝内を移動すると共に、軸部に取り付けられたピ二オンが楽器本体のラックに噛み合って転動するので、蓋体の重量が重くても、蓋体を軽い操作力で滑らかに移動させて、蓋体を開閉することができる。
【発明の開示】
【発明が解決しようとする課題】
【０００４】
しかしながら、このような従来の蓋開閉装置では、蓋体の重量が重くても、軽い操作力で蓋体を移動させることができるので、蓋体を開閉するときに蓋体に重量感がなく、蓋体の開閉操作が不自然で、勢い良く蓋体を移動させてしまうことがある。このため、蓋体が鍵盤部を覆って完全に閉じるときに、蓋体と楽器本体との間に指や手を挟んで怪我をする危険性がある。
【０００５】
この発明が解決しようとする課題は、蓋体を開閉するときに、その蓋体に重量感を付与し、蓋体の急速な動作を防ぐことができる蓋開閉装置を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図１３に示すように、装置本体（楽器ケース１）と、この装置本体の開放部を覆う蓋体（鍵盤蓋３）とを備え、この蓋体に回転体（歯車８）を有する軸部（７）を設け、前記装置本体に前記回転体が転動するガイドレール（ラック９）と前記軸部の端部（７ａ）をガイドするガイド溝（１０）とを設け、前記軸部の前記端部が前記ガイド溝によってガイドされながら、前記回転体が前記ガイドレール上を転動することにより、前記装置本体に対し前記蓋体がスライドして開閉する蓋開閉装置において、前記軸部の前記端部に、前記ガイド溝内を摺動するスライド部材（１１、２１、３１）を設けたことを特徴とする蓋開閉装置である。
【０００８】
請求項２に記載の発明は、図１〜図５に示すように、前記スライド部材（１１）が前記ガイド溝（１０）内の対向面に接触するほぼ直方体状に形成され、その一側面に前記軸部（７）の端部（７ａ）が挿入する軸穴（１２）が設けられていることを特徴とする請求項１に記載の蓋開閉装置である。
【０００９】
請求項３に記載の発明は、図６〜図１３に示すように、前記スライド部材（２１、３１）が、前記蓋体（鍵盤蓋３）を開くときに前記ガイド溝（１０）に対する接触抵抗を小さくし、前記蓋体を閉じるときに前記ガイド溝に対する接触抵抗を大きくする構成であることを特徴とする請求項１または２に記載の蓋開閉装置である。
【００１０】
請求項４に記載の発明は、図６〜図９に示すように、前記スライド部材（２１）に、前記軸部（７）の前記端部（７ａ）が移動可能に挿入する長孔状の軸穴（２３）が前記ガイド溝（１０）に対し後下がりに斜めに設けられ、前記スライド部材の外周面は前記ガイド溝内の対向面に接触するほぼ円形状に形成されていると共に、このほぼ円形状の外周面における前記軸穴の長手方向に対応する個所で且つ前記蓋体（鍵盤蓋３）の閉動作方向に位置する部分に、山形状の突起部（２４）が設けられていることを特徴とする請求項２に記載の蓋開閉装置である。
【００１１】
請求項５に記載の発明は、図１０〜図１３に示すように、前記軸部（７）の前記端部（７ａ）における外周面に複数の小突起（３２）が設けられ、前記スライド部材（３１）は前記ガイド溝（１０）内の対向面に接触するほぼ直方体状に形成され、その一側面に前記軸部の前記端部が挿入する軸穴（３３）が設けられ、この軸穴の内周面には、前記複数の小突起が順次乗り越える複数の山形部（３４）が設けられていると共に、この山形部における両側の斜面（３４ａ、３４ｂ）うち、前記蓋体（鍵盤蓋３）が閉じるときの前記軸部の回転に伴って前記小突起が当接する斜面（３４ａ）が急な傾斜に形成され、前記蓋体が開くときの前記軸部の回転に伴って前記小突起が当接する斜面（３４ｂ）が緩やかな傾斜に形成されていることを特徴とする請求項１に記載の蓋開閉装置である。
【発明の効果】
【００１２】
請求項１に記載の発明によれば、蓋体を開閉するときに、蓋体に設けられた軸部の端部が装置本体に設けられたガイド溝でガイドされながら、軸部の回転体が装置本体に設けられたガイドレール上を転動することにより、蓋体の重量が重くても、滑らかに蓋体を開閉移動させることができるほか、特に軸部の端部に設けられたスライド部材が、装置本体に設けられたガイド溝内を摺動するので、蓋体が開閉するときにスライド部材とガイド溝との接触抵抗によって蓋体に重量感を付与することができると共に、蓋体の急速な動作を防ぐことができる。これにより、蓋体を閉じるときに、蓋体と装置本体との間に指や手を挟んで怪我をする危険性をも回避することができる。
【００１３】
請求項２に記載の発明によれば、スライド部材がガイド溝内の対向面に接触するほぼ直方体状に形成され、その一側面に軸部の端部が挿入する軸穴が設けられていることにより、蓋体を開閉するときに、スライド部材の互いに対向する外面がガイド溝内の対向面に面接触した状態で移動するので、請求項１に記載の発明と同様、蓋体が開閉するときにスライド部材とガイド溝との接触抵抗によって蓋体に重量感を付与することができると共に、蓋体の急速な動作を確実に防ぐことができる。
【００１４】
請求項３に記載の発明によれば、スライド部材が、蓋体を開くときにガイド溝に対する接触抵抗を小さくし、蓋体を閉じるときにガイド溝に対する接触抵抗を大きくする構成であることにより、請求項１に記載の発明と同様、蓋体を開閉するときにスライド部材とガイド溝との接触抵抗によって蓋体に重量感を付与することができると共に、蓋体の急速な動作を確実に防ぐことができるほか、特に蓋体を開くときと、蓋体を閉じるときとで、蓋体の重量感を変えることができる。
【００１５】
すなわち、蓋体を開くときに、ガイド溝に対するスライド部材の接触抵抗が小さいので、蓋体の重量感を軽くすることができ、また蓋体を閉じるときに、ガイド溝に対するスライド部材の接触抵抗が大きいので、蓋体の重量感を重くすることができる。このため、蓋体をゆっくり閉じることができるので、蓋体と装置本体との間に指や手を挟んで怪我をする危険性を回避することができる。
【００１６】
請求項４に記載の発明によれば、スライド部材に、軸部の端部が移動可能に挿入する長孔状の軸穴がガイド溝に対し後下がりに斜めに設けられ、スライド部材の外周面が装置本体のガイド溝内の対向面に接触するほぼ円形状に形成されていると共に、このほぼ円形状の外周面における軸穴の長手方向に対応する個所で且つ蓋体の閉動作方向に位置する部分に、山形状の突起部が設けられていることにより、請求項２に記載の発明と同様、蓋体が開閉するときにスライド部材とガイド溝との接触抵抗によって蓋体に重量感を付与することができると共に、蓋体の急速な動作を確実に防ぐことができるほか、蓋体を開くときと、蓋体を閉じるときとで、蓋体の重量感を変えることができる。
【００１７】
すなわち、蓋体を開く方向に移動させるときには、軸部の端部がスライド部材の長孔状の軸孔を斜め下側に移動して、スライド部材の外周面に設けられた山形状の突起部を装置本体のガイド溝内の対向面から離間させ、この状態でスライド部材のほぼ円形状の外周面が装置本体のガイド溝内の対向面に線接触した状態で摺動するので、接触抵抗が小さく、蓋体の重量感が軽くなり、滑らかに蓋体を移動させることができる。
【００１８】
また、蓋体を閉じる方向に移動させるときには、軸部の端部がスライド部材の長孔状の軸孔を斜め上側に移動して、スライド部材の外周面に設けられた山形状の突起部を装置本体のガイド溝内の対向する一面に押し付け、この状態でスライド部材がガイド溝内を摺動するので、スライド部材の山形状の突起部が装置本体のガイド溝内の対向する一面に面接触した状態で移動することになる。このため、スライド部材とガイド溝との接触抵抗が大きくなり、蓋体の重量感が重くなり、これにより蓋体を閉じるときに蓋体の急速な動作を防いで、蓋体と装置本体との間に指や手を挟んで怪我をする危険性を回避することができる。
【００１９】
請求項５に記載の発明によれば、軸部の端部の外周面に複数の小突起が設けられ、スライド部材がガイド溝内の対向面に接触するほぼ直方体状に形成され、その一側面に軸部の端部が挿入する軸穴が設けられ、この軸穴の内周面には、複数の小突起が順次乗り越える複数の山形部が設けられ、この山形部の一方が緩やかな斜面で他方が急な斜面に形成されていることにより、請求項１に記載の発明と同様、蓋体が開閉するときにスライド部材とガイド溝との接触抵抗によって蓋体に重量感を付与することができると共に、蓋体の急速な動作を確実に防ぐことができるほか、特に蓋体を開くときと、蓋体を閉じるときとで、蓋体の操作感をも変えることができる。
【００２０】
すなわち、蓋体を開く方向に移動させてスライド部材がガイド溝内を摺動するときに、回転体の回転に伴って軸部が山形部の緩やかな斜面から急な斜面に向けて回転するので、軸部の端部の外周面に設けられた複数の小突起が、スライド部材の軸穴の内面に設けられた複数の山形部の緩やかな斜面に沿って移動して順次山形部を乗り越える。このため、軸部の小突起とスライド部材の山形部との接触抵抗が小さく、軸部の端部がスライド部材の軸穴内で空転しやすいので、蓋体の操作感が軽く感じ、蓋体を滑らかに移動させることができる。
【００２１】
また、蓋体を閉じる方向に移動させさせてスライド部材がガイド溝内を摺動するときに、回転体が上記と逆の方向に回転し、この回転体の回転に伴って軸部の逆方向に回転するので、この軸部の端部の外周面に設けられた複数の小突起が、スライド部材の軸穴の内面に設けられた複数の山形部の急な斜面に沿って移動して順次山形部を乗り越える。このため、軸部の小突起とスライド部材の山形部との接触抵抗が大きくなり、軸部の端部がスライド部材の軸穴内で空転しにくいので、蓋体の操作感が重く感じる。これにより、蓋体が閉じるときに蓋体の急速な動作を防いで、蓋体と装置本体との間に指や手を挟んで怪我をする危険性を回避することができる。
【発明を実施するための最良の形態】
【００２２】
（実施形態１）
以下、図１〜図５を参照して、この発明を鍵盤楽器に適用した実施形態１について説明する。
図１はこの発明の鍵盤楽器を示した断面図、図２はその鍵盤楽器の蓋開閉装置の要部を拡大して示した分解斜視図である。
この鍵盤楽器は、図１に示すように、楽器ケース１内に鍵盤部２が設けられ、この鍵盤部２に対応する楽器ケース１の前側上部（図１では左側上部）が開放され、この開放された部分に鍵盤蓋３が開閉可能に設けられた構成になっている。
【００２３】
この鍵盤蓋３は、図１に示すように、楽器ケース１の前側上部の開放された部分に後部上がり（図１では右上がり）に傾斜した状態で配置されて鍵盤部２を覆い、楽器ケース１の後部内に移動して楽器ケース１の天板１ａの下側に配置されたときに鍵盤部２を露呈させるように構成されている。すなわち、この鍵盤蓋３の開閉装置４は、図１および図２に示すように、楽器ケース１の両側の側板１に設けられたガイド部材５と、鍵盤蓋３の前端部に設けられたガイドローラ６と、鍵盤蓋３の後端部に設けられた軸部７と、この軸部７に取り付けられた歯車８とを備え、ガイド部材５に沿ってガイドローラ６と歯車８とが移動することにより、鍵盤蓋３がスライドして開閉するように構成されている。
【００２４】
この場合、ガイド部材５は、図１に示すように、楽器ケース１の側板１ｂの内面における前部側から後側内部に向けて緩やかな山形状に連続して設けている。このガイド部材５における楽器ケース１の後側内部、つまり楽器ケース１の天板１ａの下側に位置する個所には、図１および図２に示すように、鍵盤蓋３の後端部に設けられた軸部７の歯車８が噛み合って転動するラック９と、軸部７の端部７ａが挿入して移動するガイド溝１０とが、楽器ケース１の後部側に向けて緩やかに下がる傾斜した状態で設けられている。また、このガイド部材５は、その前側上端部５ａを鍵盤蓋３の前端部に設けられたガイドローラ６が転動するように構成されている。
【００２５】
ところで、鍵盤蓋３の後端部の下面に設けられた軸部７は、図２に示すように、その端部７ａが歯車８の側面から突出しており、この突出した端部７ａには、図２および図３に示すように、ガイド部材５のガイド溝１０内を摺動するスライド部材１１が取り付けられている。このスライド部材１１は、図２〜図５に示すように、ガイド部材５のガイド溝１０における上下方向の幅１０ａとほぼ同じ大きさの直方体状に形成されており、その一側面には軸部７の端部７ａが挿入する軸穴１２が設けられている。これにより、スライド部材１１は、軸穴１２に軸部７の端部７ａが挿入し、この状態でスライド部材１１がガイド溝１０内に挿入されると、図５に示すように、スライド部材１１の上下面がガイド溝９内の互いに対向する上下面に面接触した状態で摺動するように構成されている。
【００２６】
このような鍵盤蓋３の開閉装置４によれば、鍵盤蓋３を開閉するときに、鍵盤蓋３の後端部に設けられた軸部７の端部７ａが楽器ケース１に設けられたガイド部材５のガイド溝１０に沿ってガイドされながら、軸部７の歯車８がガイド部材５のラック８に噛み合って転動すると共に、鍵盤蓋３の前端部に設けられたガイドローラ６がガイド部材５の前側上端部５ａ上を転動するので、鍵盤蓋３の重量が重くても、滑らかに鍵盤蓋３を移動させることができる。この場合、特に軸部７の端部７ａに設けられたスライド部材１１が、ガイド部材５のガイド溝１０内を摺動するので、鍵盤蓋３が開閉するときにスライド部材１１とガイド溝１０との接触抵抗によって鍵盤蓋３に重量感を付与することができる。
【００２７】
すなわち、スライド部材１１はガイド溝１０における上下方向の幅１０ａとほぼ同じ大きさの直方体状に形成され、その一側面に軸部７の端部７ａが挿入する軸穴１２が設けられていることにより、鍵盤蓋３を開閉するときに、スライド部材１１の上下面がガイド溝１０内の上下面に面接触した状態で移動するので、鍵盤蓋３が開閉するときにスライド部材１１とガイド溝１０との接触抵抗によって鍵盤蓋３に重量感を付与することができ、これにより鍵盤蓋３の急速な動作を防ぐことができる。このため、鍵盤蓋３を閉じるときに、鍵盤蓋３と楽器ケース１との間に指や手を挟んで怪我をする危険性を回避することができる。
【００２８】
（実施形態２）
次に、図６〜図９を参照して、この発明を鍵盤楽器に適用した実施形態２について説明する。なお、図１〜図５に示された実施形態１と同一部分には同一符号を付して説明する。
この鍵盤楽器における鍵盤蓋３の開閉装置２０は、スライド部材２１が実施形態１と異なる構成であり、これ以外は実施形態１とほぼ同じ構成になっている。この場合、鍵盤蓋３の後部下面に設けられた軸部７は、歯車８の側面から突出した端部７ａに小径の軸突起２２が軸方向に突出して設けられ、この軸突起２２がガイド部材５のガイド溝１０内に挿入するように構成されている。
【００２９】
スライド部材２１は、鍵盤蓋３を開くときにガイド部材５のガイド溝１０に対する接触抵抗が小さくなり、鍵盤蓋３を閉じるときにガイド部材５のガイド溝１０に対する接触抵抗が大きくなるように構成されている。すなわち、このスライド部材２１は、図６〜図９に示すように、ガイド部材５のガイド溝１０における上下方向の幅１０ａの長さと同じ直径のほぼ円柱状に形成されており、その一端面、つまり軸部７に対応する面には、図６〜図９に示すように、軸部７の端部７ａに設けられた小径の軸突起２２が移動可能に挿入する長孔状の軸穴２３が設けられている。
【００３０】
この場合、スライド部材２１は、図８および図９に示すように、長孔状の軸穴２３がガイド溝１０に対し後下がりに傾斜した状態で、つまり上部側が楽器ケース１の前側（同図では左側）に位置し、下部側が楽器ケース１の後側（同図では右側）に位置する傾斜状態で、ガイド溝１０内に移動自在に配置されている。また、このスライド部材２１の外周面は、図６および図７に示すように、ガイド部材５のガイド溝１０内の互いに対向する上下面に接触するほぼ円形状に形成されていると共に、このほぼ円形状の外周面における軸穴２３の長手方向に対応する個所で且つ鍵盤蓋３の閉動作方向（図８および図９では左側）に位置する部分には、山形状の突起部２４が設けられている。
【００３１】
すなわち、このスライド部材２１は、図８に示すように、鍵盤蓋３が閉じる方向に移動すると、これに伴って軸部７の軸突起２２が軸穴２３内を斜め上方に向けて移動し、軸穴２３の上部側に位置することにより、突起部２４がガイド溝１０内の下面に押し付けられて面接触し、また図９に示すように、鍵盤蓋３が開く方向に移動すると、これに伴って軸部７の軸突起２２が軸穴２３内を斜め下方に向けて移動し、軸穴２３の下部側に位置することにより、突起部２４がガイド溝１０内の下面から離れて、ガイド溝１０内の互いに対向する上下面の間に浮いた状態で配置されるように構成されている。
【００３２】
このような鍵盤蓋３の開閉装置２０によれば、スライド部材２１に、軸部７の軸突起２２が移動可能に挿入する長孔状の軸穴２３がガイド溝１０に対し後下がりに傾斜して設けられ、スライド部材２１の外周面がガイド溝１０の互いに対向する上下面に接触するほぼ円形状に形成されていると共に、このほぼ円形状の外周面における軸穴２３の長手方向に対応する個所で且つ鍵盤蓋３の閉動作方向に位置する部分に、山形状の突起部２４が設けられているので、実施形態１と同様、鍵盤蓋３が開閉するときにスライド部材２１とガイド溝１０との接触抵抗によって鍵盤蓋３に重量感を付与することができると共に、鍵盤蓋３の急速な動作を防ぐことができるほか、特に鍵盤蓋３を開くときと、閉じるときとで、鍵盤蓋３の重量感を変えることができる。
【００３３】
すなわち、鍵盤蓋３を開く方向に移動させると、図９に示すように、軸部７の軸突起２２が軸穴２３内を斜め下方に移動して軸穴２３の下部側に位置する。このときには、軸部７の軸突起２２によってスライド部材２１が図９において時計回り、つまり図９に示す矢印Ｘ方向に回転するので、スライド部材２１の突起部２４がガイド溝１０内の互いに対向する上下面間に浮いた状態で配置される。このため、図９に示すように、スライド部材２１のほぼ円形状の外周面がガイド溝１０の上下面に線接触する。この状態で、スライド部材２１がガイド溝１０内を移動するので、スライド部材２１とガイド溝１０との接触抵抗が小さくなり、これにより鍵盤蓋３の重量感を軽くして、鍵盤蓋３を滑らかに移動させることができる。
【００３４】
また、鍵盤蓋３を閉じる方向に移動させるときには、図８に示すように、軸部７の軸突起２２が軸穴２３内を斜め上方に移動して軸穴２３の上部側に位置する。このときには、軸突起２２によってスライド部材２１が図８において反時計回り、つまり図８に示す矢印Ｙ方向に回転するので、スライド部材２１の突起部２４がガイド溝１０内の下面に押し付けられて面接触する。この状態で、スライド部材２１がガイド溝１０内を摺動するので、スライド部材２１とガイド溝１０との接触抵抗が大きくなり、鍵盤蓋３の重量感を重くすることができる。これにより、鍵盤蓋３が閉じるときに、鍵盤蓋３の急速な動作を防いで、鍵盤蓋３と楽器ケース１との間に指や手を挟んで怪我をする危険性を回避することができる。
【００３５】
（実施形態３）
次に、図１０〜図１３を参照して、この発明を鍵盤楽器に適用した実施形態３について説明する。この場合にも、図１〜図５に示された実施形態１と同一部分に同一符号を付して説明する。
この鍵盤楽器における鍵盤蓋３の開閉装置３０も、スライド部材３１が実施形態１と異なる構成であり、これ以外は実施形態１とほぼ同じ構成になっている。この場合、鍵盤蓋３の後部下面に設けられた軸部７は、図１０に示すように、歯車８の側面から突出した端部７ａの外周面に複数の小突起３２が所定間隔で設けられた構成になっている。
【００３６】
スライド部材３１は、図１０〜図１３に示すように、ガイド部材５のガイド溝１０における上下方向の幅１０ａとほぼ同じ大きさの直方体状に形成され、その一側面つまり軸部７の端部７ａが挿入する軸穴３３が設けられた構成になっている。この場合、軸穴３３の内周面には、図１１および図１２に示すように、軸部７の複数の小突起３２が順次乗り越える複数の山形部３４が設けられている。
【００３７】
この複数の山形部３４は、図１２に示すように、それぞれ両側の斜面３４ａ、３４ｂのうち、鍵盤蓋３を閉じるときに軸部７が図１２において反時計回り回転して軸部７の小突起３２が当接する斜面３４ａが急な傾斜に形成され、鍵盤蓋３を開くときに軸部７が図１２において時計回りに逆回転して軸部７の小突起３２が当接する斜面３４ｂが緩やかな傾斜に形成されている。
【００３８】
このような鍵盤蓋３の開閉装置３０によれば、軸部７の端部７ａにおける外周面に、複数の小突起３２を設け、スライド部材３１がガイド部材５のガイド溝１０における上下方向の幅１０ａに対応する大きさのほぼ直方体状に形成され、その一側面に軸部７の端部７ａが挿入する軸穴３３を設け、この軸穴３３の内周面に複数の小突起３２が順次乗り越える複数の山形部３４を設けたことにより、実施形態１と同様、鍵盤蓋３が開閉するときにスライド部材３１とガイド溝１０との接触抵抗によって鍵盤蓋３に重量感を付与することができると共に、鍵盤蓋３の急速な動作を防ぐことができるほか、特に鍵盤蓋３を開くときと、閉じるときとで、鍵盤蓋３の操作感をも変えることができる。
【００３９】
すなわち、鍵盤蓋３を開く方向に移動させてスライド部材３１がガイド溝１０内を摺動するときに、軸部７の端部７ａが歯車８の回転に伴って反時計回りに回転する。このため、軸部７の端部７ａにおける外周面に設けられた複数の小突起３２が、スライド部材３１の軸穴３３内で回転移動し、軸部７の複数の小突起３２が、軸穴３３の内面に設けられた複数の山形部３４における緩やかな傾斜の斜面３４ｂに沿って移動して順次山形部３４を乗り越える。このときには、軸部７の複数の小突起３２とスライド部材３１の複数の山形部３４との接触抵抗が小さく、軸部７の端部７ａがスライド部材３１の軸穴３３内で空転しやすいので、鍵盤蓋３の操作感が軽く感じ、鍵盤蓋３を滑らかに移動させることができる。
【００４０】
また、鍵盤蓋３を閉じる方向に移動させてスライド部材３１がガイド溝１０内を摺動するときに、軸部７の端部７ａが歯車８の逆回転に伴って上記と逆の時計回りに回転する。このため、軸部７の複数の小突起３２が、スライド部材３１の軸穴３３の内面に設けられた複数の山形部３４における急な傾斜の斜面３４ａに沿って移動して順次山形部３４を乗り越える。このときには、軸部７の各小突起３２とスライド部材３１の各山形部３４との接触抵抗が大きく、軸部７の端部７ａがスライド部材３１の軸穴３３内で空転しにくいので、鍵盤蓋３の操作感が重く感じる。これにより、鍵盤蓋３の急速な動作を防ぎ、鍵盤蓋３と楽器ケース１との間に指や手を挟んで怪我をする危険性を回避することができる。
【００４１】
なお、上記実施形態１〜３では、鍵盤楽器における鍵盤蓋３の開閉装置に適用した場合について述べたが、必ずしも鍵盤楽器の鍵盤蓋３である必要はなく、例えば家具などの蓋体の開閉装置に広く適用することができる。
【図面の簡単な説明】
【００４２】
【図１】この発明を適用した鍵盤楽器の断面図である。（実施形態１）
【図２】図１の鍵盤蓋の開閉装置における要部を拡大して示した分解斜視図である。
【図３】図２の軸部の端部にスライド部材を取り付けた状態の要部を示した拡大側面図である。
【図４】図３のスライド部材を示した正面図である。
【図５】図４のスライド部材をガイド部材のガイド溝内に配置した状態を示した図である。
【図６】この発明を適用した鍵盤楽器における鍵盤蓋の開閉装置の軸部にスライド部材を取り付けた状態の要部を示した拡大側面図である。（実施形態２）
【図７】図６のスライド部材を示した正面図である。
【図８】図７のスライド部材をガイド部材のガイド溝内に配置して鍵盤蓋を閉じるときのスライド部材の動作状態を示した図である。
【図９】図８の状態で鍵盤蓋を開くときのスライド部材の動作状態を示した図である。
【図１０】この発明を適用した鍵盤楽器における鍵盤蓋の開閉装置の軸部にスライド部材を取り付けた状態の要部を示した拡大側面図である。（実施形態３）
【図１１】図１０のスライド部材を示した正面図である。
【図１２】図１０のＡ−Ａ矢視における拡大断面図である。
【図１３】図１２のスライド部材をガイド部材のガイド溝内に配置した状態を示した図である。
【符号の説明】
【００４３】
１  楽器ケース
２  鍵盤部
３  鍵盤蓋
４、２０、３０  開閉装置
５  ガイド部材
７  軸部
７ａ  端部
８  歯車
９  ラック
１０  ガイド溝
１１、２１、３１  スライド部材
１２、２３、３３  軸穴
２２  軸突起
２４  突起部
３２  小突起
３４  山形部
３４ａ  急な斜面
３４ｂ  緩やかな斜面
【図１】
2008015389.tif 000003
【図２】
2008015389.tif 000004
【図３】
2008015389.tif 000005
【図４】
2008015389.tif 000006
【図５】
2008015389.tif 000007
【図６】
2008015389.tif 000008
【図７】
2008015389.tif 000009
【図８】
2008015389.tif 000010
【図９】
2008015389.tif 000011
【図１０】
2008015389.tif 000012
【図１１】
2008015389.tif 000013
【図１２】
2008015389.tif 000014
【図１３】
2008015389.tif 000015